(57)【要約】【課題】  パレット等の積載物の挿入口に、フォークの爪厚が異なっていても、取付け軸１の位置変更無しに、フォークに滑止器具を取り付けた挿入部の総高さを低くして、比較的薄型のパレット等にも挿入可能となるようにする。【解決手段】  本発明の滑止器具Ｐの取付け軸１とフォーク６の間、組板２とフォーク６の間二カ所を密着状態にさせる為、軸にはめ込む管の肉厚分７ｔを隙間調節分として、その調節で密着状態となれる事で、該器具Ｐは下部開口型になっても、フォークリフトのフォーク６から外れることがないから、フォークの爪下部面６ｆより下位置になる下部部材が除去された本発明の該器具Ｐを、フォーク６に取り付けた挿入部の総高さｗが、従来技術の滑止器具Ｋの下部、即ち、フォークの爪下部面６ｆより、下位置になる部材分ｖだけが低くなることで、比較的薄型のパレット等にも挿入可能となるようにした。【選択図】  図１
2005041683.tif 000002
【特許請求の範囲】
【請求項１】
本発明の滑止器具Ｐは、上面部にはパレット等の積載物挿入口の上内面が載られるように、滑り止め部材が貼りつけてあり、組板で結合している側板の斜面は、フォークリフト等のフォーク爪面より出る面では、爪面に対して斜角で接続形状を有する、即ち、挿入口が挿入動作時に、接触の可能性が有る激突防止案内役の側板の斜面が始まる位置は、フォークの爪面より深い位置から斜面が始まる構造を有する滑止器具において、該器具Ｐを取り付けるフォークの爪厚ｈが異なっていても、取付け軸１とフォーク６の間、組板２とフォーク６の間二カ所を正常な位置で密着状態にさせるため、取付け軸１の位置変更は無しに、取忖け軸１にはめ込む管７の肉厚分７ｔを隙間調節分として、その調節で、取付け軸１とフォーク６、組板２とフォーク６は共に密着状態となれる事が前提の構造を有する滑止器具。
【発明の詳細な説明】
【発明の詳細な説明】
【技術分野】
【０００１】  本発明は、滑止器具の改良技術に関する。
【背景技術】
【０００２】  本願発明の発明者は、パレット等の積載物がフォークリフト等のフォーク爪面上を滑り難くなる滑止器具（特願２００２−２１７２８９）を開発した。図７の従来技術の滑止器具Ｋを、使用実施中の一形態を示す断面図の通り、パレット１７に、当該滑止器具Ｋが取り付けられたフォーク６が挿入され、すくい上げられたパレット上内面１８が滑り止め部材５の上に載る態様が、パレット等がフォーク上面を滑り難くなる事を示し、側板先端辺ｇ、ｅの寸法がフォークの爪厚ｈの寸法より短いことで、激突防止機能の案内役斜面１４、１２、１３がフォーク６の爪面より深い位置、即ち、側板先端辺ｇ、ｅの端から始まっていることで、パレット等の挿入口と挿入する滑止器具を激突による大破損から免れる役目を果している。又、図８は当該滑止器具Ｋが取り付けられたフォーク根元の裏側より見た裏正面図であり、同図８で示すようにフォークの爪下部面６ｆより当該滑止器具Ｋの下部面１５が下位置にある為、挿入されるパレット等はその部材分ｖだけ挿入口の内高が高いものに限定される。
【発明が解決しようとする課題】
【０００３】  上記した従来技術では出来ない、滑止器具の下部部材が障害となる、高さの低い比較的薄型パレット等でも、即ち、フォークリフト等のフォーク挿入口の高さが比較的低くても、爪厚の違う各種のフォークにも取り付け可能な、滑止器具を取り付けたフォーク６が、挿入口に挿入できるようにする事が課題。
【課題を解決するための手段】
【０００４】  本発明は、上記の技術的課題を解決するため、本発明の滑止器具Ｐの取付け軸１とフォーク６の間、組板２とフォーク６の間二カ所を正常な位置で密着状態にさせる為、取付け軸１の位置変更無しに、取付け軸１にはめ込む管の肉厚分７ｔを隙間調節分として、その調節で、取り付けるフォークの爪厚ｈが異なっても、取付け軸１とフォーク６、組板２とフォーク６は共に密着状態となれる事で、組板上部２ａを支点とした矢印３ｄ方向の回転力は、取付け軸１の密着点１ｂで阻止される機能となるので、該器具Ｐのように下部が除去された下部開口型になっても、フォークリフトのフォーク６から該器具Ｐは外れることがないから、フォークの爪下部面６ｆより下位置になる下部部材が除去された該器具Ｐを、フォーク６に取り付けて、挿入部の総高さｗを、従来技術の滑止器具Ｋの下部、即ち、フォークの爪下部面６ｆより下位置になる部材分ｖだけを低くすることで、比較的薄型のパレット等にも挿入可能となるようにした。
【０００５】  請求項１の発明は、本発明の滑止器具Ｐを取り付けたフォークが、パレット等に挿入するとき、挿入口が本発明の該器具Ｐに激突しないよう、該器具Ｐの側板３はフォーク爪面より深い位置から始まる、案内役斜面３ｓ、３ｃ、４ｓ、４ｃを有していて、パレット等がフォーク上を滑走し難いよう、滑り止め部材が貼りつけて有る該器具Ｐにおいて、該器具Ｐを取り付けるフォークの爪厚ｈが異なっても、取付け軸１とフォーク６の間、組板２とフォーク６の間二カ所を正常な位置で密着状態にさせる為、取付け軸１の位置変更無しに、該軸１にはめ込む管７の肉厚分７ｔを隙間調節分として、その調節で、取付け軸１とフォーク６、組板２とフォーク６は共に密着状態となれる事が前提の構造とした。
【０００６】  本発明の該器具Ｐは、取付け軸１とフォーク６の間及び組板上部２ａとフォーク６の間二カ所を、共に密着させることで、組板上部２ａを支点とした矢印３ｄ方向の回転力は、連動して矢印１ｄ方向の回転力となるが、取付け軸１の密着点１ｂで阻止される機能によって、フォーク６から外れない。
【０００７】  本発明の該器具Ｐは下部が開口型、即ち、フォークの爪下部面６ｆの下位置で障害となっていた従来技術の滑止器具Ｋの下部部材を、除去された形となる該器具Ｐは、フォークの爪下部面６ｆより上位置に該器具Ｐの下部面３ｆが来るようにしたので、比較的薄型のパレット等にも挿入可能な滑止器具Ｐの開発となるのである。
【発明を実施するための最良の形態】
【０００８】  次に、本発明の実施の１形態を図面に従って説明する。【０００９】  図１で示す通り、フォーク６の根元に本発明の滑止器具Ｐが取り付けられるとフォークの爪下部面６ｆより、該器具Ｐの下面部３ｆを上位置にする事ができる。又、組板上部２ａを支点にした矢印３ｄ方向の回転力は、連動で生じる矢印１ｄ方向の回転力となってもフォーク６との密着点１ｂで阻止されるので、下部開口型の該器具Ｐは、矢印３ｄ方向の回転力が生じてもフォーク６から外れる事はない。【００１０】  図２で示す通り、該器具Ｐは下部が開口型となっている。【００１１】  図３で示す通り、該器具Ｐの組板上部２ａはフォーク６と密着しており、取付け軸１は隙間調節用の管７の肉厚分７ｔを入れた１ｂの位置でフォーク６と密着している。【００１２】  図４で示す通り、フォークの爪下部面６ｆより、該器具Ｐの下部面３ｆを上位置にする事が可能。【００１３】  図５で示す通り、該器具Ｐの組板上部２ａはフォーク６と密着しており、取付け軸１は、隙間調節用の管７の肉厚分７ｔを入れた１ｂの位置でフォーク６と密着状態となっている。又、調節用の管７の肉厚分７ｔが隙間分と比べて過不足が生じれば、それぞれ径が違う管を二重三重等にする事を含めた管の脱着でも、取付け軸１の位置はそのままで、隙間の過不足分は調節できる。【００１４】  図６で示す通り、フォーク６と取付け軸１の間の肉厚分７ｔで、隙間の過不足分を調節する管７。【００１５】  図７で示す通り、本発明の発明者が出願中の特願２００２−２１７２８９、の従来技術滑止器具Ｋが取り付けられたフォーク６は、パレット１７に挿入される事で、すくい上げられるパレット上内面１８が、滑り止め部材５の上に載る態様は、パレット等がフォーク上面を滑り難くなる事を示し、側板先端辺ｇ、ｅの寸法がフォークの爪厚ｈの寸法より短いことで、激突防止機能の案内役斜面１４、１２、１３がフォーク６の爪面より深い位置、即ち、側板先端辺ｇ、ｅの端から始まっていることで、パレット等の挿入口と挿入する滑止器具を激突による大破損から免れる役目を果している、使用実施中の一形態。【００１６】  図８で示す通り、従来技術の滑止器具Ｋが取り付けられた、フォーク根元の裏側より見た裏正面図であり、同図８で示すようにフォークの爪下部面６ｆより当該滑止器具Ｋの下部面１５が下位置にある為、挿入されるパレット等は、その部材分ｖだけ挿入口の内高が高いものにする必要が有る。
【発明の効果】
【００１７】  請求項１の発明によれば、本発明の滑止器具Ｐを取り付けたフォーク６が、パレット等に挿入するとき、挿入口が本発明の該器具Ｐに激突しないよう、該器具Ｐの側板３にフォーク爪面より深い位置から始まる、案内役斜面３ｓ、３ｃ、４ｓ、４ｃ、を有していて、パレット等がフォーク上を滑走し難いよう、滑り止め部材が貼りつけて有る該器具Ｐにおいて、該器具Ｐを取り付けるフォークの爪厚ｈが異なっていても、取付け軸１とフォーク６の間、組板２とフォーク６の間二カ所を正常な位置で密着状態にさせる為、取付け軸１の位置変更無しに、該軸１にはめ込む管７の肉厚分７ｔを隙間調節分として、その調節で、取付け軸１とフォーク６、組板２とフォーク６は共に密着状態となれる。
【００１８】  本発明の該器具Ｐは、取付け軸１とフォーク６の間及び組板上部２ａとフォーク６の間二カ所を、共に密着させることで、組板上部２ａを支点とした矢印３ｄ方向の回転力は、連動で生じる矢印１ｄ方向の回転力となって取付け軸１の密着点１ｂで阻止される機能によって、フォーク６から外れない。
【００１９】  本発明の該器具Ｐは下部が開口型、即ち、フォークの爪下部面６ｆの下位置で障害となっていた従来技術の滑止器具Ｋの下部部材を、除去された形となる該器具Ｐは、フォークの爪下部面６ｆより上位置に該器具Ｐの下部面３ｆが来るようにできるので、比較的薄型のパレット等にも挿入可能な、滑止器具Ｐとなるのである。
【図面の簡単な説明】
【図１】  本発明の実施の一形態を示めすもので、下部開口型の滑止器具Ｐを取り付けたフォーク６の側面図。
【図２】  下部開口型になっている本発明の滑止器具Ｐの斜視図。
【図３】  本発明の実施の一形態を示めすもので、滑止器具Ｐがフォーク６に取り付けられた平面図。
【図４】  本発明の実施の一形態を示めすもので、滑止器具Ｐが取り付けられたフォーク６の先端から見た正面図。
【図５】  本発明の実施の一形態を示めすもので、滑止器具Ｐがフォーク６に取り付けられた平面図３のＸ−Ｘ線矢視の断面図。
【図６】  本発明を実施する為、滑止器具Ｐと爪厚ｈの異なるフォーク６でも密着できるよう隙間調節用の管７の斜視図。
【図７】  従来技術の滑止器具Ｋの使用実施の形態を示した断面図。
【図８】  従来技術の滑止器具Ｋの実施形態を示し、滑止器具Ｋが取り付けられたフォーク６の根元の裏から見た裏正面図。
【符号の説明】
１    滑止器具Ｐの取付け軸
１ｂ  フォーク６と取付け軸１側の密着点
１ｄ  フォーク６と密着する２ａを支点にした回転力の方向
２    滑止器具Ｐの側板を連結する２番組板
２ａ  回転力の方向１ｄ、３ｄの支点となるフォーク６と２番組板の密着点
３    滑止器具Ｐの３番側板
３ｃ  激突防止案内役側板の３ｃ斜面
３ｄ  フォーク６と密着する２ａを支点にした回転力の方向
３ｓ  激突防止案内役側板の３ｓ斜面
３ｆ  滑止器具Ｐの下部面
４    滑止器具Ｐの４番側板
４ｃ  激突防止案内役側板の４ｃ斜面
４ｓ  激突防止案内役側板の４ｓ斜面
５    滑り止め部材
６    フォークリフトのフォーク
６ｆ  フォークの爪下部面
７    隙間調節用の管
７ｔ  管７の肉厚分
１１  滑止器具Ｋの側板
１２  滑止器具Ｋの側板の１２斜面
１３  滑止器具Ｋの側板の１３斜面
１４  滑止器具Ｋの側板の１４斜面
１５  滑止器具Ｋの下部面
１６  滑止器具Ｋの側板を連結する１６番組板
１７  パレット
１８  パレット上内面
Ｐ    本発明の滑止器具
ｈ    フォークの爪厚
ｗ    フォーク６に本発明の滑止器具Ｐを取り付けた挿入部の総高さ
Ｋ    従来技術の滑止器具
ｅ    従来技術の滑止器具Ｋの側板根元上部先端辺
ｇ    従来技術の滑止器具Ｋの側板先端辺
ｖ    フォークの爪下部面６ｆより下位置になる部材分
【図１】
2005041683.tif 000003
【図２】
2005041683.tif 000004
【図３】
2005041683.tif 000005
【図４】
2005041683.tif 000006
【図５】
2005041683.tif 000007
【図６】
2005041683.tif 000008
【図７】
2005041683.tif 000009
【図８】
2005041683.tif 000010